(57)【要約】  【課題】  保持アームとケーブルによる二重の落下防止を実現することができ、保持アームが外れてしまった場合にケーブルにかかる衝撃を小さくすることができ、ケーブルのために確保すべきスペースを減らすことのできるボックス型カメラを提供する。  【解決手段】  ボックス型カメラ１は、カメラ３が前面に取り付けられるボックス型の筐体２と、筐体２の外面に設けられ保持アーム７が取り付けられるアーム取付部６と、筐体２の内部に設けられカメラ３の配線用のケーブル１２が接続されるケーブル接続部１４を備える。アーム取付部６は、保持アーム７のみで筐体２を保持できる保持強度を有し、ケーブル接続部１４は、ケーブル１２のみで筐体２を保持できる保持強度を有する。アーム取付部６に保持アーム７が取り付けられるアーム取付方向と、ケーブル接続部１４にケーブル１２が取り付けられるケーブル接続方向とは、互いに同じ方向に設定されている。【選択図】  図１
2012010034.tif 000002
【特許請求の範囲】
【請求項１】
カメラが前面に取り付けられるボックス型の筐体と、
前記筐体の外面に設けられ、前記筐体を保持するための保持アームが取り付けられるアーム取付部であって、前記アーム取付部に前記保持アームが固定された状態で、前記保持アームのみで前記筐体を保持できる保持強度を有する前記アーム取付部と、
前記筐体の内部に設けられ、前記カメラの配線用のケーブルが接続されるケーブル接続部であって、前記ケーブル接続部に前記ケーブルが固定された状態で、前記ケーブルのみで前記筐体を保持できる保持強度を有する前記ケーブル接続部と、
を備え、
前記アーム取付部に前記保持アームが取り付けられるアーム取付方向と、前記ケーブル接続部に前記ケーブルが取り付けられるケーブル接続方向とは、互いに同じ方向に設定されていることを特徴とするボックス型カメラ。
【請求項２】
前記筐体の内部に固定され、前記ケーブル接続部の保持強度を補強する補強部材であって、前記ケーブル接続部が前記筐体の内部で前記ケーブル接続方向に沿って移動するのを規制する前記補強部材を備えたことを特徴とする請求項１に記載のボックス型カメラ。
【請求項３】
前記筐体は、前記ケーブル接続部を覆うカバーを備え、前記カバーは、前記筐体に着脱自在であることを特徴とする請求項１または請求項２に記載のボックス型カメラ。
【請求項４】
前記アーム取付部に取り付けられた前記保持アームと、前記ケーブル接続部に接続された前記ケーブルとを結束するクランプ部材を備えたことを特徴とする請求項１ないし請求項３のいずれかに記載のボックス型カメラ。
【発明の詳細な説明】
【技術分野】
【０００１】
本発明は、ボックス型の筐体を有するボックス型カメラに関し、特にボックス型カメラの落下防止のための技術に関するものである。
【背景技術】
【０００２】
従来から、ボックス型カメラは、監視エリアを監視するための監視カメラ等として利用されている。このようなボックス型カメラは、監視エリアの壁や天井などに設置されて、監視エリアの監視画像を撮影する。ボックス型カメラを壁や天井などに取り付けるときには、例えば、取り付けアームが用いられる（例えば特許文献１参照）。
【０００３】
従来の取り付けアームは、ボックス型カメラの筐体の外面に取り付けられる。例えば、ボックス型カメラを天井に取り付けるときには、取り付けアームのカメラ側の取付部が筐体の上面に固定され、取り付けアームの設置面側の取付部が天井面に固定される。このようにして、ボックス型カメラは、取り付けアームで保持された状態で、天井に取り付けられる。
【先行技術文献】
【特許文献】
【０００４】
【特許文献１】特開２００２−２９０７７４号公報
【発明の概要】
【発明が解決しようとする課題】
【０００５】
しかしながら、従来のボックス型カメラにおいては、万が一、取り付けアームの固定が外れてしまった場合には、ボックス型カメラが天井から落下してしまうことになる。通常、ボックス型カメラの筐体からはカメラ配線用のケーブルが延びている。したがって、取り付けアームの固定が外れて、ボックス型カメラが天井から落下した場合には、その落下の衝撃がケーブルにかかることになる。ところが、従来のケーブルの接続構造では、ケーブルのみでボックス型カメラの筐体を保持できるほどの強度を有していないという問題があった。
【０００６】
また、従来のボックス型カメラでは、筐体の前面にカメラが設けられ、筐体の後面にケーブルが設けられることが一般的である。例えば、ボックス型カメラが天井に取り付けられる場合には、ケーブルの挿通孔も天井に設けられていることが多い。しかし、筐体の後面から天井の挿通孔までケーブルを引き回すためには、ある程度のケーブルの長さが必要になる。そうすると、取り付けアームが外れてしまった場合に、取り付けアームで筐体を保持していた位置（高い位置）から、ケーブルで筐体を保持する位置（低い位置）まで、筐体は自由落下することになるが、上記のようにケーブルの長さが長いため、その分だけ自由落下長も長くなる。その結果、ケーブルで筐体を保持する位置まで筐体が落下したときに、ケーブルにかかる衝撃（負荷）が大きくなってしまい、従来のケーブルの接続構造では、このような大きな衝撃（負荷）に耐えるのは極めて困難であるという問題があった。
【０００７】
さらに、従来のボックス型カメラでは、上述のように筐体の後面からケーブルを引き回すので、筐体の後面の側にケーブルのための大きなスペースを確保する必要があった。したがって、筐体の後面を壁面ぎりぎりまで近づけるように、ボックス型カメラを設置することはできないという問題があった。
【０００８】
本発明は、上記従来の問題を解決するためになされたもので、保持アームとケーブルによる二重の落下防止を実現することができ、また、保持アームが外れてしまった場合にケーブルにかかる衝撃を小さくすることができ、さらに、ケーブルのために確保すべきスペースを減らすことのできるボックス型カメラを提供することを目的とする。
【課題を解決するための手段】
【０００９】
本発明のボックス型カメラは、カメラが前面に取り付けられるボックス型の筐体と、前記筐体の外面に設けられ、前記筐体を保持するための保持アームが取り付けられるアーム取付部であって、前記アーム取付部に前記保持アームが固定された状態で、前記保持アームのみで前記筐体を保持できる保持強度を有する前記アーム取付部と、前記筐体の内部に設けられ、前記カメラの配線用のケーブルが接続されるケーブル接続部であって、前記ケーブル接続部に前記ケーブルが固定された状態で、前記ケーブルのみで前記筐体を保持できる保持強度を有する前記ケーブル接続部と、を備え、前記アーム取付部に前記保持アームが取り付けられるアーム取付方向と、前記ケーブル接続部に前記ケーブルが取り付けられるケーブル接続方向とは、互いに同じ方向に設定された構成を有している。
【００１０】
この構成により、ボックス型カメラの筐体を保持アームのみでも保持することでき、ケーブルのみでも保持することができる。したがって、本発明では、保持アームとケーブルによる二重の落下防止を実現することができる。例えば、万が一、保持アームの固定が外れてしまった場合でも、ケーブルで筐体を保持することができる。
【００１１】
しかも、本発明では、アーム取付部に保持アームが取り付けられる方向（アーム取付方向）とケーブル接続部にケーブルが接続される方向（ケーブル接続方向）が同じ方向であるので、保持アームが延びる方向（保持アームの向き）とケーブルが延びる方向（ケーブルの向き）が同じ方向になり、保持アームの向きとケーブルの向きが異なる場合に比べて、保持アームとケーブルを並べて近くに配置することができる。例えば、筐体の上面から保持アームとケーブルが延びている場合には、筐体の上面から保持アームが延びており筐体の後面からケーブルが延びている場合に比べて、保持アームとケーブルを互いに近くに配置することができる。保持アームの固定が外れてしまった場合、保持アームで筐体を保持していた位置から、ケーブルで筐体を保持する位置まで、筐体は自由落下することになるが、上記のように、保持アームとケーブルを互いに近くに配置することができれば、その自由落下長を短くすることができる。したがって、保持アームの固定が外れてしまった場合に、ケーブルで筐体を保持する位置まで落下したときにケーブルにかかる衝撃（負荷）を小さくすることができる。
【００１２】
さらに、本発明では、保持アームとケーブルを並べて配置することができるので、保持アームの向きとケーブルの向きが異なる場合に比べて、ケーブルのために確保すべきスペースを減らすことができる。例えば、筐体の上面から保持アームが延びており筐体の後面からケーブルが延びている場合には、筐体の後面の側にケーブルのための大きなスペースを確保する必要がある。これに対して、筐体の上面から保持アームとケーブルが延びている場合には、筐体の後面の側にケーブルのためのスペースを確保する必要がなくなる。したがって、例えば、筐体の後面を壁面ぎりぎりまで近づけるように、ボックス型カメラを設置することも可能になる。
【００１３】
また、本発明のボックス型カメラは、前記筐体の内部に固定され、前記ケーブル接続部の保持強度を補強する補強部材であって、前記ケーブル接続部が前記筐体の内部で前記ケーブル接続方向に沿って移動するのを規制する前記補強部材を備えた構成を有している。
【００１４】
この構成により、筐体の内部に固定された補強部材によって、ケーブル接続部の保持強度が補強される。例えば、保持アームの固定が外れてしまった場合には、ケーブルで筐体を保持することになるが、このケーブルが固定されるケーブル接続部は、補強部材によって筐体の内部でケーブル接続方向への移動が規制されている。したがって、ケーブルのみでも十分な保持強度で筐体を保持することができる。
【００１５】
また、本発明のボックス型カメラでは、前記筐体は、前記ケーブル接続部を覆うカバーを備え、前記カバーは、前記筐体に着脱自在である構成を有している。
【００１６】
この構成により、ケーブル接続部にケーブルを接続するときには、カバーを取り外して作業を行うことができるので、ケーブル接続作業を容易に行うことができる。ケーブル接続作業が終了したら、カバーを取り付けてケーブル接続部を覆うことができるので、外観を良好にすることができる。
【００１７】
また、本発明のボックス型カメラは、前記アーム取付部に取り付けられた前記保持アームと、前記ケーブル接続部に接続された前記ケーブルとを結束するクランプ部材を備えた構成を有している。
【００１８】
この構成により、クランプ部材を用いて、保持アームとケーブルを結束することができる。この場合、保持アームとケーブルを並べて配置することができるので、無理なく保持アームとケーブルを結束することができる。
【発明の効果】
【００１９】
本発明は、保持アームとケーブルによる二重の落下防止を実現することができ、また、保持アームが外れてしまった場合にケーブルにかかる衝撃を小さくすることができ、さらに、ケーブルのために確保すべきスペースを減らすことができるという効果を有するボックス型カメラを提供することができるものである。
【図面の簡単な説明】
【００２０】
【図１】本発明の実施の形態におけるボックス型カメラの斜視図
【図２】本発明の実施の形態におけるボックス型カメラの筐体の分解斜視図
【図３】本発明の実施の形態におけるボックス型カメラのケーブル接続部の拡大図
【図４】本発明の実施の形態のボックス型カメラ（保持アームで保持された状態）の説明図
【図５】本発明の実施の形態のボックス型カメラ（ケーブルで保持された状態）の説明図
【図６】比較例のボックス型カメラ（保持アームで保持された状態）の説明図
【図７】比較例のボックス型カメラ（ケーブルで保持された状態）の説明図
【図８】他の実施の形態のボックス型カメラ（壁面に設置された状態）の説明図
【発明を実施するための形態】
【００２１】
以下、本発明の実施の形態のボックス型カメラについて、図面を用いて説明する。本実施の形態では、監視カメラ等に用いられるボックス型カメラの場合を例示する。本実施の形態のボックス型カメラは、例えば、監視エリア内の天井に設置される。
【００２２】
本発明の実施の形態のボックス型カメラの構成を、図面を参照して説明する。図１は、本実施の形態のボックス型カメラの斜視図であり、図２は、ボックス型カメラの筐体の分解斜視図である。図１および図２に示すように、ボックス型カメラ１は、略直方体の形状を有するボックス型の筐体２を備えている。この筐体２の前面には、カメラ３が取り付けられる。カメラ３は、カメラレンズ４とカメラユニット５で構成される。カメラレンズ４は、筐体２の前面の外側に設けられ（図１参照）、カメラユニット５は、筐体２の前面の内側に設けられる（図２参照）。ここでは、カメラ３が取り付けられている面を「前面」と呼んでいる。
【００２３】
筐体２の上面には、アーム取付部６が設けられている。このアーム取付部６に、ボックス型カメラ１を保持するための保持アーム７が取り付けられる。アーム取付部６には、ねじ穴８が設けられており（図２参照）、保持アーム７のカメラ側の先端には、ねじ部９が設けられている（図５参照）。このアーム取付部６のねじ穴８に、保持アーム７のねじ部９を螺着することによって、アーム取付部６に保持アーム７が固定される。保持アーム７の反対側（設置面側）の先端には、取付板１０が設けられている。この取付板１０が、天井面（設置面）にねじ止めされて、保持アーム７が、天井面に固定される。このアーム取付部６は、十分な機械的強度を有しており、アーム取付部６に保持アーム７が固定された状態で、保持アーム７のみでボックス型カメラ１の全重量を保持できる強度（保持強度）を有している。
【００２４】
図２に示すように、筐体２の内部には、カメラユニット５が実装される基板１１が設けられている。この基板１１には、カメラ配線用のケーブル１２の先端のコネクタ部１３が接続されるケーブル接続部１４が設けられている。例えば、カメラ配線用のケーブル１２は、同軸ケーブルである。このケーブル１２は、天井に設けられたケーブル挿通孔（図示せず）に挿通される。また、例えば、ケーブル１２のコネクタ部１３は、バヨネット式のコネクタ（ＢＮＣプラグ等）であり、ケーブル接続部１４は、バヨネット式のレセプタクル（ＢＮＣレセプタクル等）である。このケーブル接続部１４は、十分な機械的強度を有しており、ケーブル接続部１４にケーブル１２が固定された状態で、ケーブル１２のみでボックス型カメラ１の全重量を保持できる強度（保持強度）を有している。
【００２５】
本実施の形態では、アーム取付部６に保持アーム７が取り付けられる方向（アーム取付方向）と、ケーブル接続部１４にケーブル１２が取り付けられる方向（ケーブル接続方向）とは、互いに同じ方向になるように設定されている。この場合、アーム取付方向とケーブル接続方向は、カメラレンズ４の光軸方向（筐体２の前後方向）に対して交差する方向に設定されており、具体的には、筐体２の上下方向に設定されている。
【００２６】
ここで、ケーブル接続部１４に関する構成について、図面を参照しながら詳しく説明する。図３は、ケーブル接続部１４を拡大した説明図である。図２および図３に示すように、筐体２の内部には、ケーブル接続部１４の保持強度を補強するための補強部材１５が設けられている。この補強部材１５は、金属製の板材で構成されており、筐体２の内側にねじ止めによって固定されている。図３に示すように、ケーブル接続部１４の上部は、略平坦な平面部１６と、平面部１６から突出した突出部１７とで構成されている。補強部材１５には、基板１１と平行なプレート部１８が設けられており、このプレート部１８には、ケーブル接続部１４の突出部１７が挿通される挿通孔１９が設けられている。ケーブル接続部１４の平面部１６は、補強部材１５の下面に当接しており、このようにして、補強部材１５は、ケーブル接続部１４が筐体２の内部で上下方向（ケーブル接続方向）に沿って移動するのを規制している。
【００２７】
図１および図２に戻って、ボックス型カメラ１の筐体２の説明を続ける。筐体２は、上ケース２０と下ケース２１に２分割可能である。基板１１は、下ケース２１にねじ止めによって固定される。補強部材１５は、上ケース２０と下ケース２１の両方にねじ止めによって固定される。上ケース２０の後部には、段部２２が設けられている。段部２２の上面には、ケーブル接続部１４の突出部１７が挿通される挿通孔２３が設けられている。また、この段部２２には、ケーブル接続部１４を覆うためのカバー２４が取り付けられる。このカバー２４は、筐体２に着脱自在であり、カバー２４を取り付けた状態で、筐体２は、全体として略直方体の外観を有している（図１参照）。また、このカバー２４の上面には、切欠き部２５が設けられており、この切欠き部２５には、ケーブル接続部１４に接続されたケーブル１２が挿通される。
【００２８】
また、図１に示すように、ボックス型カメラ１は、保持アーム７とケーブル１２を結束するクランプ部材２６を備えている。クランプ部材２６は、アーム取付部６に取り付けられた保持アーム７と、ケーブル接続部１４に接続されたケーブル１２とを結束する。例えば、このクランプ部材２６は、金属製のバンドまたは樹脂製のバンド（ＰＰバンド等）で構成される。
【００２９】
以上のように構成された本発明の実施の形態のボックス型カメラ１について、図面を参照してその動作を説明する。ここでは、本発明の特徴的な動作として、ボックス型カメラ１の落下防止の動作を中心に説明する。
【００３０】
図４は、本実施の形態のボックス型カメラ１が天井面に設置された状態を模式的に示した説明図である。図４に示すように、この状態では、保持アーム７は、アーム取付部６に固定されており、ボックス型カメラ１は、天井から吊り下げられた状態で保持アーム７に保持されている。通常、保持アーム７は、アーム取付部６にしっかりと固定される。ところが、設置作業者がしっかりと固定するのを忘れてしまう場合がある。また、長年の間に（例えば、振動を受けることによって）保持アーム７の固定が緩んでしまう場合がある。そのような場合であっても、定期的なメンテナンスをしていれば、保持アーム７の固定が緩んでいるのを発見して、固定しなおすことができる。しかし、定期的なメンテナンスもしていない場合には、保持アーム７がアーム取付部６から外れてしまうこともある。
【００３１】
図５は、本実施の形態のボックス型カメラ１で、保持アーム７がアーム取付部６から外れてしまった状態を模式的に示した説明図である。図５に示すように、この状態では、ボックス型カメラ１は、ケーブル１２のみによって保持されることになる。本実施の形態では、アーム取付方向とケーブル接続方向が同じ方向を向いており、保持アーム７とケーブル１２が並んで近くに配置されているので、筐体２の上面から天井のケーブル挿通孔まで直線的にケーブル１２を延ばすことができ、ケーブル１２の長さが最小限に抑えられる。そのため、保持アーム７でボックス型カメラ１を保持していた位置（高い位置Ａ）から、ケーブル１２でボックス型カメラ１を保持する位置（低い位置Ｂ）までの長さ、すなわち、ボックス型カメラ１の自由落下長（ＡＢ間の距離）が短い。
【００３２】
この点について、図面を参照しながら、比較例を挙げて詳しく説明する。図６は、比較例のボックス型カメラ１００が天井面に設置された状態を模式的に示した説明図である。図６に示すように、比較例では、筐体１０２の後面にケーブル接続部１１４が設けられている。図７は、比較例のボックス型カメラ１００で、保持アーム１０７がアーム取付部１０６から外れてしまった状態を模式的に示した説明図である。図７に示すように、この比較例では、アーム取付方向とケーブル接続方向が異なる方向（略９０°異なる方向）を向いており、保持アーム１０７とケーブル１１２が遠くに配置されているので、筐体１０２の後面から天井のケーブル挿通孔までケーブル１１２を延ばすときに屈曲させる必要があり、ある程度のケーブル１１２の長さ必要になる。そのため、保持アーム１０７でボックス型カメラ１００を保持していた位置（高い位置Ａ’）から、ケーブル１１２でボックス型カメラ１００を保持する位置（低い位置Ｂ’）までの長さ、すなわち、ボックス型カメラ１００の自由落下長（Ａ’Ｂ’間の距離）が長くなる。
【００３３】
このような本発明の実施の形態のボックス型カメラ１によれば、保持アーム７とケーブル１２による二重の落下防止を実現することができる。また、保持アーム７が外れてしまった場合にケーブル１２にかかる衝撃を小さくすることができる。さらに、ケーブル１２のために確保すべきスペースを減らすことができる。
【００３４】
すなわち、本実施の形態では、ボックス型カメラ１の筐体２を保持アーム７のみでも保持することでき、ケーブル１２のみでも保持することができる。したがって、本実施の形態のボックス型カメラ１では、保持アーム７とケーブル１２による二重の落下防止を実現することができる。例えば、万が一、保持アーム７の固定が外れてしまった場合でも、ケーブル１２で筐体２を保持することができる。
【００３５】
しかも、本実施の形態では、アーム取付部６に保持アーム７が取り付けられる方向（アーム取付方向）とケーブル接続部１４にケーブル１２が接続される方向（ケーブル接続方向）が同じ方向であるので、保持アーム７が延びる方向（保持アーム７の向き）とケーブル１２が延びる方向（ケーブル１２の向き）が同じ方向になり、保持アーム７の向きとケーブル１２の向きが異なる場合に比べて、保持アーム７とケーブル１２を並べて近くに配置することができる。例えば、本実施の形態のように筐体２の上面から保持アーム７とケーブル１２が延びている場合（図４および図５参照）には、比較例のように筐体１０２の上面から保持アーム１０７が延びており筐体１０２の後面からケーブル１２が延びている場合（図６および図７参照）に比べて、保持アーム７とケーブル１２を互いに近くに配置することができる。
【００３６】
保持アーム７の固定が外れてしまった場合、保持アーム７で筐体２を保持していた位置Ａから、ケーブル１２で筐体２を保持する位置Ｂまで、筐体２は自由落下することになるが、上記のように、保持アーム７とケーブル１２を互いに近くに配置することができれば、その自由落下長（ＡＢ間の距離）を短くすることができる。したがって、保持アーム７の固定が外れてしまった場合に、ケーブル１２で筐体２を保持する位置まで落下したときにケーブル１２にかかる衝撃（負荷）を小さくすることができる。
【００３７】
さらに、本実施の形態では、保持アーム７とケーブル１２を並べて配置することができるので、保持アーム７の向きとケーブル１２の向きが異なる場合に比べて、ケーブル１２のために確保すべきスペースを減らすことができる。例えば、比較例のように筐体１０２の上面から保持アーム１０７が延びており筐体１０２の後面からケーブル１２が延びている場合（図６および図７参照）には、筐体１０２の後面の側にケーブル１２のための大きなスペースを確保する必要がある。これに対して、本実施の形態のように筐体２の上面から保持アーム７とケーブル１２が延びている場合（図４および図５参照）には、筐体２の後面の側にケーブル１２のためのスペースを確保する必要がなくなる。したがって、例えば、筐体２の後面を壁面ぎりぎりまで近づけるように、ボックス型カメラ１を設置することも可能になる（図８参照）。
【００３８】
また、本実施の形態では、図３に示すように、筐体２の内部に固定された補強部材１５によって、ケーブル接続部１４の保持強度が補強される。例えば、保持アーム７の固定が外れてしまった場合には、ケーブル１２で筐体２を保持することになるが、このケーブル１２が固定されるケーブル接続部１４は、補強部材１５によって筐体２の内部でケーブル接続方向への移動が規制されている。したがって、ケーブル１２のみでも十分な保持強度で筐体２を保持することができる。
【００３９】
また、本実施の形態では、ケーブル接続部１４にケーブル１２を接続するときには、カバー２４を取り外して作業を行うことができるので、ケーブル接続作業を容易に行うことができる。ケーブル接続作業が終了したら、カバー２４を取り付けてケーブル接続部１４を覆うことができるので、外観を良好にすることができる。
【００４０】
また、本実施の形態では、クランプ部材２６を用いて、保持アーム７とケーブル１２を結束することができる。この場合、保持アーム７とケーブル１２を並べて配置することができるので、無理なく保持アーム７とケーブル１２を結束することができる。
【００４１】
なお、ここでは特に図示しないが、カメラからケーブルを直出しする形態でも同様である。この場合、予め（例えば出荷時に）ケーブルの適切な位置にクランプ部材を設けておくことができ、設置作業者に落下防止クランプを促す効果が期待できる。
【００４２】
以上、本発明の実施の形態を例示により説明したが、本発明の範囲はこれらに限定されるものではなく、請求項に記載された範囲内において目的に応じて変更・変形することが可能である。
【００４３】
図８は、本発明の他の実施の形態のボックス型カメラ１の説明図である。なお、ここでは、他の実施の形態のボックス型カメラ１が、上記の本実施の形態と相違する点を中心に説明する。ここで特に言及しない限り、他の実施の形態の構成および動作は、上記の本実施の形態と同様である。
【００４４】
図８に示すように、他の実施の形態のボックス型カメラ１は、壁面に設置される。この場合、保持アーム７が略直角に屈曲しており、保持アーム７の取付板１０が、壁面（設置面）にねじ止めされて、保持アーム７が、壁面に固定される。このような他の実施の形態のボックス型カメラ１であっても、上記の本実施の形態と同様の作用効果が奏される。
【産業上の利用可能性】
【００４５】
以上のように、本発明にかかるボックス型カメラは、保持アームとケーブルによる二重の落下防止を実現することができ、また、保持アームが外れてしまった場合にケーブルにかかる衝撃を小さくすることができ、さらに、ケーブルのために確保すべきスペースを減らすことができるという効果を有し、監視カメラ等として有用である。
【符号の説明】
【００４６】
１  ボックス型カメラ
２  筐体
３  カメラ
４  カメラレンズ
５  カメラユニット
６  アーム取付部
７  保持アーム
８  ねじ穴
９  ねじ部
１０  取付板
１１  基板
１２  ケーブル
１３  コネクタ部
１４  ケーブル接続部
１５  補強部材
１６  平面部
１７  突出部
１８  プレート部
１９  挿通孔
２０  上ケース
２１  下ケース
２２  段部
２３  挿通孔
２４  カバー
２５  切欠き部
２６  クランプ部材
【図１】
2012010034.tif 000003
【図２】
2012010034.tif 000004
【図３】
2012010034.tif 000005
【図４】
2012010034.tif 000006
【図５】
2012010034.tif 000007
【図６】
2012010034.tif 000008
【図７】
2012010034.tif 000009
【図８】
2012010034.tif 000010